(57)【要約】      （修正有）【課題】燃料デブリの微粉末を水中に滞留させることなく効率よく捕集することができる原子炉浄化装置を提供する。【解決手段】インペラ４１を回転させることにより、インペラ４１の回転方向に向かう水の旋回流が発生し、水中に浮遊する微粉末が水の旋回流とともに移動し、フィルタ４５に捕集される。【選択図】図４
2014153301.tif 000002
【特許請求の範囲】
【請求項１】
炉心溶融を起こし冠水した軽水炉の内部において水流を発生する水流発生手段と、前記
水流で運ばれる微粉末を捕集する捕集手段とを備えたことを特徴とする原子炉浄化装置。
【請求項２】
前記軽水炉は、原子炉格納容器と、該原子炉格納容器に収容された原子炉圧力容器と、該原子炉圧力容器の下方に設けられた原子炉遮蔽壁とを備え、前記水流発生手段は、前記原子炉格納容器、前記原子炉圧力容器、および前記原子炉遮蔽壁の少なくとも一つの内部で上下方向の軸線回りに旋回する旋回流を発生することを特徴とする請求項１に記載の原子炉浄化装置。
【請求項３】
前記水流発生手段と前記捕集手段を支持する基台を備え、
前記基台は、前記軽水炉の上部に設けた走行懸吊手段から懸吊部材で懸吊されることにより前記原子炉圧力容器内または前記原子炉遮蔽壁の任意の位置に移動可能とされるとともに、前記原子炉圧力容器または前記原子炉遮蔽壁の内周面側へ進退自在とされて前記内周面に当接することにより該基台の半径方向の位置を固定する複数の振れ止め手段を備えていることを特徴とする請求項２に記載の原子炉浄化装置。
【請求項４】
前記基台は、上下方向に貫通し水が流通可能な孔を備えていることを特徴とする請求項１〜３のいずれかに記載の原子炉浄化装置。
【請求項５】
前記捕集手段を収容する密閉容器と、該密閉容器を縦に積載して収容する収容手段とを備え、前記収容手段の外形寸法を燃料集合体の外形寸法と略同一として使用済み核燃料プールに貯蔵可能としたことを特徴とする請求項１〜４のいずれかに記載の原子炉浄化装置。
【発明の詳細な説明】
【技術分野】
【０００１】
本発明は、炉心溶融を起こした軽水炉から燃料デブリ（溶融燃料、炉内構造物）を取り出す際に発生する燃料デブリの微粉末を効果的に除去することができる原子炉浄化装置に関する。
【背景技術】
【０００２】
軽水炉においては、被覆管や燃料が溶けて崩れ落ちる炉心溶融となった場合、事故後１
０年程度経過して溶融燃料の崩壊熱が低下していると思われる頃に、溶融燃料や炉内構造
物（燃料デブリ）の回収を行う必要がある。燃料デブリを取り出すには、放射線の遮蔽お
よび除熱の観点から、水につけた状態にする必要がある。仮に、溶融燃料が原子炉圧力容器を貫通して格納容器の底部に溜まり、格納容器にまで損傷を与えている場合には、格納容器を修復したうえで冠水し、燃料デブリを水没させてこれを切断、粉砕および掘削などの方法で取り出す必要がある。その際の手段としては、削岩機、ドリル、ダイヤモンドカッター、ウォータージェット切断機、レーザー切断機、プラズマ切断機などが考えられる。
【０００３】
上記のような手段により燃料デブリを小片化した場合に、概ね１０ｃｍ以上の大きな破片は、グリッパにより把持して取り出すことができる。また、概ね数ｍｍ〜数ｃｍの中程度の大きさの燃料デブリの破片は、水中掃除機により吸引してフィルタで捕集することができる。しかしながら、概ね１ｍｍ以下の微粉末は、水中掃除機のフィルタの目を通過してしまう。ここで、フィルタの目を細かくすると、水中掃除機の吸引力が低下し、上述の中程度の大きさの燃料デブリの破片を吸引することが困難となる。
【０００４】
一方、上述の中程度の大きさの燃料デブリ吸引用とは別に、微粉末専用の水中掃除機を設置し、目の細かいフィルタで微粉末を捕集する方法が考えられる。しかしながら、原子炉圧力容器や原子炉格納容器内の大容量の水中に滞留する微粉末をくまなく効果的に捕集するには、水中掃除機を積極的に移動させる手段が必要となり現実的でない。
【０００５】
なお原子炉圧力容器は、例えば内径が６．４ｍ、高さが約２５ｍ（オペフロアから下端まで）あり、内部の水容量は約６００ｍ３である。さらに、原子炉格納容器およびこれに接続する圧力抑制室も含めた水容量は、原子炉圧力容器内の水容量の約１０倍程度になる。このような大容量の水中で微粉末を捕集することは容易ではない。
【０００６】
微粉末の捕集が不可能な場合、微粉末が長時間にわたって水中に滞留し、以下の問題を引き起こす。
（１）水中の視界が低下し、モニターカメラによる燃料デブリ取り出し作業を妨げる。
（２）水中に滞留した微粉末が循環冷却系に流出し、配管の屈曲部や冷却器に蓄積して、臨界になる可能性がある。
（３）冷却器の性能低下を引き起こす。
（４）循環冷却系の放射線量が増加し、そのメンテナンスに支障を来す。
【０００７】
再臨界予防のための方策としては、中性子を吸収するホウ酸水を原子炉圧力容器および格納容器内の水に注入する方策が考えられる（例えば特許文献１参照）。ホウ酸水はボロン（ホウ素）の化合物の水溶液である。ボロンの同位体のうち１０Ｂは非常に大きな中性子吸収断面積を持つため、原子炉内において中性子吸収のための制御棒に使用されている。
【先行技術文献】
【特許文献】
【０００８】
【特許文献１】特開２００７−１０１３３２号公報
【発明の概要】
【発明が解決しようとする課題】
【０００９】
しかしながら、上記の技術では、上記（２）に対する効果はともかく、（１）、（３）および（４）に対する効果は望むべくもない。本発明はこのような事情に鑑みてなされたもので、燃料デブリの微粉末を水中に滞留させることなく効率よく捕集することができる原子炉浄化装置を提供することを目的としている。
【課題を解決するための手段】
【００１０】
本発明は、炉心溶融を起こし冠水した軽水炉の内部において水流を発生する水流発生手
段と、前記水流で運ばれる微粉末を捕集する捕集手段とを備えたことを特徴としている。
【００１１】
本発明にあっては、水流で運ばれる微粉末を捕集手段が捕集するから、捕集手段を移動させることなく燃料デブリの微粉末を捕集することができる。したがって、微粉末を水中に滞留させることなく効率よく捕集することができる。また、水中の視界の低下を予防できるため、モニターカメラで監視しながらの燃料デブリ取り出し作業を妨げることがなく、しかも、燃料デブリ取り出し作業と並行して軽水炉の純化を行うことができる。さらに、水中に滞留した微粉末が循環冷却系に流出することを阻止することができ、これにより、循環冷却系での臨界安全性を確保し、循環冷却系の放射線量の増加を抑制することができる。
【００１２】
一般に、軽水炉は、原子炉格納容器と、原子炉格納容器に収容された原子炉圧力容器と、原子炉圧力容器の下方に設けられた原子炉遮蔽壁とを備えている。本発明の水流発生手段は、原子炉格納容器、原子炉圧力容器、および原子炉遮蔽壁の少なくとも一つの内部で上下方向の軸線回りに旋回する旋回流を発生することが望ましい。微粉末が旋回流に乗って捕集手段およびその付近を繰り返し通過することにより、微粉末は効率良く捕集される。
【００１３】
本発明においては、水流発生手段と捕集手段を支持する基台を備えると好適である。基台は、軽水炉の上部に設けた走行懸吊手段から懸吊部材で懸吊されることにより原子炉圧力容器内または原子炉遮蔽壁の任意の位置に移動可能とされるとともに、原子炉圧力容器または原子炉遮蔽壁の内周面側へ進退自在とされて内周面に当接することにより基台の半径方向の位置を固定する複数の振れ止め手段を備えていると好適である。これにより、基台の半径方向の位置を固定することができ、水流の発生と微粉末の捕集とを安定して行うことができる。なお、懸吊部材としてはワイヤや伸縮可能なマストなどを用いることができる。
【００１４】
基台は、上下方向に貫通し水が流通可能な孔を備えていると好適である。たとえば、水流発生手段および捕集手段を基台の上下の一方に設けた場合には、基台の他方から水が進入して含まれる微粉末が捕集される。したがって、微粉末を効率良く捕集することができる。
【００１５】
軽水炉の原子炉建家内には、一般に使用済み核燃料を燃料集合体に入れたまま貯蔵するプールが設けられる。そこで、捕集手段を収容する密閉容器と、密閉容器を縦に積載して収容する収容手段を備え、収容手段の外形寸法を燃料集合体の外形寸法と略同一とすれば、捕集した溶融燃料の微粉末をプールに貯蔵することができる。したがって、捕集した微粉末に対して臨界安全性を確保することができる。
【発明の効果】
【００１６】
本発明によれば、燃料デブリの微粉末を水中に滞留させることなく効率よく捕集することができる等の効果が得られる。
【図面の簡単な説明】
【００１７】
【図１】本発明の第１実施形態の原子炉浄化装置が適用された原子炉建家全体の側断面図である。
【図２】本発明の第１実施形態の原子炉浄化装置が適用された原子炉建家全体の側断面図である。
【図３】本発明の第１実施形態の原子炉浄化装置が適用された原子炉圧力容器の側断面図である。
【図４】図３の要部を拡大した側断面図である。
【図５】図４の矢印Ｖ方向矢視である。
【図６】本発明の第２実施形態の原子炉浄化装置が適用された原子炉圧力容器の側断面図である。
【図７】図６の要部を拡大した側断面図である。
【図８】図７の矢印VIII方向矢視である。
【図９】実施形態におけるフィルタを示す（Ａ）平面図、（Ｂ）正面図、（Ｃ）側面図である。
【図１０】実施形態における密閉容器と微粉末貯蔵ラックを示す斜視図である。
【図１１】（Ａ）は燃料集合体を示す斜視図であり、（Ｂ）は燃料集合体を使用済み核燃料プールに収容した状態を示す平面図である。
【発明を実施するための形態】
【００１８】
１．軽水炉の構成
まず、本発明の第１実施形態の説明に先立ち、本発明が適用される一般的な軽水炉の構成を説明する。図１において符号１０は原子炉建家である。原子炉建家１０は、地面に設置されたコンクリート製基礎１１の上に設けられている。基礎１１の中央部には原子炉格納容器１２がコンクリート製のペデスタル１３を介して設置されている。原子炉格納容器１２は、上下方向に伸びる金属製の略円筒状をなすものであり、そのコンクリート製の底壁１４の上面には、コンクリート製で円筒状をなす原子炉遮蔽壁１５が取り付けられている。原子炉格納容器１２には、原子炉圧力容器１６が収納されている。原子炉圧力容器１６の上端部は、上蓋１６ａにより開閉される。
【００１９】
原子炉建家１０の上部には、天井走行クレーン（走行懸吊手段）１７が配置されている。天井走行クレーン１７は、図１および図２において左右方向と紙面と直交する方向に移動可能なワイヤ（懸吊部材）１７ａ，１７ｂを備えている。ワイヤ１７ａには、実施形態の原子炉浄化装置２０が吊り下げられている。また、ワイヤ１７ｂには、使用済み核燃料を収容した燃料集合体１００が吊り下げられ、使用済み核燃料プール１８に貯蔵される。
【００２０】
２．原子炉浄化装置の構成
次に、実施形態の原子炉浄化装置２０について詳細に説明する。図４は原子炉浄化装置２０を示す側断面図であり、図中符号２１は基台である。基台２１は、略円筒状をなす基台本体２１ａと、基台本体２１ａの内側に回転可能に支持された回転プラグ２１ｂとを備えている。回転プラグ２１ｂは、図示しない駆動機構により基台本体２１ａに対して上下方向の軸線回りに回転させられる。
【００２１】
基台本体２１ａの外周部には、円周方向に等間隔に複数（この実施例では４つ）の振れ止めアーム（振れ止め手段）２３が軸２３ａによって回転自在に支持されている。振れ止めアーム２３は、油圧やモータなどの適宜な手段により、軸２３ａを中心に回動させられ、その先端が原子炉圧力容器１６の内周面に当接することにより、基台２１の半径方向（望ましくは上下方向も）の位置を固定する。そして、図４に示す状態から上下に並んだ振れ止めアーム２３が開くように回動することで、基台２１は移動可能となる。
【００２２】
回転プラグ２１ｂには、下方に突出するシャフト２４が回転可能かつ上下移動可能に支持されている。シャフト２４は、油圧やモータなどの適宜な手段により回転させられ、また、上下方向へ移動させられる。シャフト２４の下端部にはオフセットアーム２５が取り付けられている。このオフセットアーム２５には、各種の作業を行う作業ユニットが取り付けられる。
【００２３】
たとえば、図３に示すように、オフセットアーム２５には削岩機３０が取り付けられている。この削岩機３０は、ビット３１の他にポンプ３２とバスケット３３とを備え、砕いた溶融燃料Ｆ１を吸引してバスケット３３に捕集するようになっている。作業ユニットとしては、ドリル、ダイヤモンドカッター、ウォータージェット切断機、レーザー切断機、プラズマ切断機、小片化した溶融燃料Ｆ１を把持するグリッパなどがあり、それらはオフセットアーム２５に取り付けられるようになっている。
【００２４】
基台２１の上方には微粉末回収部４０が設けられている。回転プラグ２１ｂの中央には、回転軸を上下方向に向けたインペラ（水流発生手段）４１が回転可能に支持されている。インペラ４１は、軸部４１ａと、軸部４１ａから半径方向に伸びる複数の翼部４１ｂからなっている。軸部４１ａは基台２１の内部に設けられた駆動機構によって回転させられ、翼部４１ｂは水を回転方向および半径方向外方へ押し出す。この構成により、水の旋回流が生成される。
【００２５】
インペラは、例えば水中で回転可能な電動モーターなどで駆動する。放射線損傷の観点で、電動モーターの機能や耐久性に問題がある場合には、油タービンなどを用いることができる。この場合、原子炉建家１０の外部に油圧ポンプを設け、油圧ポンプからタービンに油を供給し、かつ油圧ポンプに油を戻す配管が設けられる。あるいは、圧縮空気をタービンに供給する駆動機構を構成することもできる。
【００２６】
基台２１（基台本体２１ａ）の上面には、複数（この実施形態では４つ）の支柱４２が円周方向に等間隔に取り付けられている。支柱４２の上面には、リング状をなす支持板４３が取り付けられている。支持板４３と基台２１の上面との間には、複数（この実施形態では４つ）の軸４４が架設されている。そして、軸４４にはフィルタ４５が取り付けられている。
【００２７】
図９はフィルタ４５を示す図である。フィルタ４５は、一側に開口部４５ａが設けられ、開口部４５ａの反対側に平面視半円状の部分が設けられたものである。フィルタ４５は金属製または樹脂製であり、その目の粗さは１ｍｍ以下が好適である。また、微粉末の捕集効率を考慮すると目の粗さは０．３ｍｍ以上が好適である。目の粗さが異なる複数のフィルタを同時に設置することも可能である。このようなフィルタ４５は、軸４４と共に回転させて向きを任意の方向に固定することができ、図中矢印で示す水の旋回流を真正面から受けるように設定することができる。
【００２８】
支持板４３の上面には、複数（この実施形態では４つ）の取付具４６が取り付けられている。取付具４３には、ワイヤ１７ａの下端部が取り付けられている。
【００２９】
基台２１には、上下方向に貫通する複数（この実施形態では４つ）の孔２６が形成されている。孔２６は、平面視においてインペラ４１の回転軌跡と重複するように配置されている。傘部４１ｂが回転すると、基台２１の下側から孔２６に水が流れ込む。したがって、基台２１の下側の水も旋回流として微粉末を回収することができる。
【００３０】
３．原子炉浄化装置の動作
次に、上記構成の原子炉浄化装置２０の動作について説明する。原子炉浄化装置２０は、図１に示すように天井走行クレーン１７のワイヤ１７ａに吊されて原子炉圧力容器１６内に挿入される。そして、原子炉浄化装置２０が作業する位置まで降下したら停止させ、振れ止めアーム２３の先端を原子炉圧力容器１６の内周面側へ突出させて原子炉浄化装置２０の位置を固定する。
【００３１】
次いで、削岩機３０により溶融燃料Ｆ１を粉砕する。その際に、ポンプ３２を作動させて粉砕物をバスケット３３に捕集する。また、オフセットアーム２５を回動させるとともに上下に移動させて溶融燃料Ｆ１を粉砕および吸引する。その際に、基台本体２１ａに対して回転プラグ２１ｂを回転させることにより、溶融燃料Ｆ１の全体を満遍なく粉砕する。溶融燃料Ｆ１が粉砕されると、微粉末が生成される。この微粉末は以下のようにして捕集される。
【００３２】
インペラ４１を回転させることにより、インペラ４１の回転方向に向かう水の旋回流が発生する。基台２１の上部の水は、インペラ４１の外周部外側に旋回しながら広がり、原子炉圧力容器１６内の壁面近傍を上昇し、水面上から下方中心部（インペラ４１の方向）に渦を巻きながら下降する。一方、基台２１の上部と下部の空間は、基台２１側面の隙間を通じて連通しているため、基台２１下部の水も連動して旋回する。
【００３３】
すなわち基台２１下部の水は、原子炉圧力容器１６内の壁面近傍を旋回しながら下降し、原子炉圧力容器１６下端部にて溶融燃料Ｆの微粉末を巻き上げて中心部を上昇し、基台２１に設けた複数の孔２６からインペラ４１の方向に戻る。以上の水の流れにより、水中に浮遊する微粉末が水の旋回流とともに移動し、フィルタ４５に捕集される。また、微粉末は削岩機３０の所で発生するが、インペラ４１の回転により水が孔２６に吸い込まれ、発生した微粉末は孔２６を通って旋回流に乗り、速やかに捕集される。なお、溶融燃料Ｆ１の微粉末をより有効に捕集するために、インペラ４１の回転方向を定期的に反転させ、原子炉圧力容器１６内の水の旋回方向を反転させることもできる。
【００３４】
フィルタ４５に微粉末が貯まったら削岩機３０の運転とインペラ４１の回転を停止し、振れ止めアーム２３を開いてワイヤ１７ａを引き上げる。そして、原子炉浄化装置２０を水中から引き上げたら、適宜なロボットハンド等を用いてフィルタ４５を取り外し、新しいフィルタ４５を装着する。取り外したフィルタ４５は、図１０に示す密閉容器に収納し、微粉末貯蔵ラック（収容手段）９０に縦に積載して収容する。
【００３５】
微粉末貯蔵ラック９０は、箱状のラック本体９１と、ラック本体９１の上端開口にヒンジ結合した上蓋９２と、上蓋９２に取り付けたフック９３とを備えている。微粉末貯蔵ラック９０の外形寸法は、図１１４に示す燃料集合体１００の外形寸法と同一か僅かに小さく設定されている。そして、使用済み核燃料プール１８に燃料集合体１００が仕切り１０１を介して配列されるのと同様にして、粉砕物を貯蔵した微粉末貯蔵ラック９０は核燃料プール１８に貯蔵される。
【００３６】
ところで、原子炉圧力容器１６の底が溶融燃料Ｆ１によって溶かされ、図１に示すように、原子炉遮蔽壁１５の内側に燃料デブリ（溶融燃料、炉内構造物）Ｆ２として堆積することがある。この場合には、溶融燃料Ｆ１の取り出しが終わった後、削岩機３０を切断機に付け替えて原子炉圧力容器１６の底を切り落とし、図２に示すように、原子炉浄化装置２０を原子炉遮蔽壁１５まで下げる。そして、上記と同様に燃料デブリＦ２を削岩機３０で粉砕しながら微粉末をフィルタ４５で捕集する。
【００３７】
また、原子炉浄化装置２０のインペラ４１およびフィルタ４５が図２に示す原子炉遮蔽壁１５から露出するように原子炉浄化装置２０を原子炉遮蔽壁１５に固定し、インペラ４１を回転させることにより、原子炉格納容器１２内の微粉末も捕集することができる。
【００３８】
上記第１実施形態によれば、水流で運ばれる微粉末をフィルタ４５が捕集するから、水中掃除機などを用いることなく溶融燃料Ｆ１や燃料デブリＦ２の微粉末を捕集することができる。したがって、微粉末を水中に滞留させることなく効率よく捕集することができる。また、水中の視界の低下を予防できるため、モニターカメラで監視しながらの溶融燃料Ｆ１および燃料デブリＦ２の取り出し作業を妨げることがなく、しかも、そのような取り出し作業と並行して軽水炉の純化を行うことができる。さらに、水中に滞留した微粉末が循環冷却系に流出することを阻止することができ、これにより、循環冷却系での臨界安全性を確保し、循環冷却系の放射線量の増加を抑制することができる。
【００３９】
特に、上記第１実施形態では、インペラ４１により旋回流を発生させるから、微粉末が旋回流に乗ってフィルタ４５およびその付近を繰り返し通過するので、微粉末は効率良く捕集される。また、上記第１実施形態では、水中の視界の低下を予防できるため、モニターカメラによる溶融燃料Ｆ１や燃料デブリＦ２の取り出し作業を妨げることがなく、しかも、その取り出し作業と並行して軽水炉の純化を行うことができる。さらに、水中に滞留した微粉末が循環冷却系に流出することを阻止することができ、これにより、循環冷却系での臨界安全性を確保し、循環冷却系の放射線量の増加を抑制することができる。
【００４０】
特に、上記第１実施形態においては、振れ止めアーム２３を原子炉圧力容器１６の内壁に当接させて基台２１を固定するから、旋回流の発生と微粉末の捕集とを安定して行うことができる。また、基台２１は孔２６を有しているから、微粉末が発生する基台２１の下側の水を孔２６から吸い上げ、微粉末を効率良く捕集することができる。さらに、上記第１実施例では、微粉末を捕集したフィルタ４５を密閉容器４７に収納するとともに、微粉末貯蔵ラック９０に縦に積載して収容し、微粉末貯蔵ラック９０を核燃料プール１８に貯蔵するから、捕集した微粉末に対して臨界安全性を確保することができる。
【００４１】
４．他の実施形態
図６〜図８を参照して本発明の第２実施例を説明する。第２実施形態は、微粉末回収部５０に、インペラ４１に代えてノズル（水流発生手段）５２を設けた点についてのみ前記第１実施形態と異なっている。そこで、以下の説明においては、第１実施形態のものと同等の構成には同符号を付してその説明を省略する。
【００４２】
図７に示すように、回転プラグ２１ｂの上面には複数（この実施形態では４つ）ブラケット５１が円周方向で等間隔に取り付けられ、ブラケット５１にはノズル５２が取り付けられている。ノズル５２は同じ円周方向を向いている。ノズル５２から噴射する水は、原子炉圧力容器１６内に上部から挿入した配管からポンプで汲み上げ、この水が配管を通してノズル５２に供給される。なお、隣接するノズル５２の中間に逆方向へ向けたノズル５２を配置し、作動させるノズル５２のグループ（時計回り/反時計回り）を変更することで原子炉圧力容器１６内の水の旋回方向を反転させることができる。これにより、溶融燃料Ｆ１の微粉末をより有効に捕集することができる。あるいは、ブラケット５１を回転可能に構成し、ノズル５２の向きを１８０°変えるようにしてもよい。
【００４３】
上記構成の原子炉浄化装置２０においても、ノズル５２により旋回流が発生するので、前記第１実施形態と同等の効果を得ることができる。
【００４４】
５．変更例
（１）第１実施形態においてインペラ４１およびフィルタ４５は、基台２１の下部に設けることも可能である。また、インペラ４１およびフィルタ４５は、基台２１の上部と下部の両方に設けることも可能である。
（２）第１実施形態においてノズル５２およびフィルタ４５は、基台２１の下部に設けることも可能である。また、ノズル５２およびフィルタ４５は、基台２１の上部と下部の両方に設けることも可能である。
（３）基台本体２１ａと回転プラグ２１ｂを一体化することができる。
【産業上の利用可能性】
【００４５】
本発明は、炉心溶融を起こした軽水炉から燃料デブリ（溶融燃料、炉内構造物）を取り
出す際に発生する燃料デブリの微粉末を効果的に除去する作業に利用することができる。
【符号の説明】
【００４６】
１２  原子炉格納容器
１６  原子炉圧力容器
１７  天井走行クレーン（懸吊手段）
１７ａ，１７ｂ  ワイヤ（懸吊部材）
１８  使用済み核燃料プール
２０  原子炉浄化装置
２１  基台
２３  振れ止めアーム（振れ止め手段）
２６  孔
４１  インペラ（水流発生手段）
４５  フィルタ（捕集手段）
４７  密閉容器
５２  ノズル（水流発生手段）
９０  粉砕物貯蔵ラック（収容手段）
１００  燃料集合体
Ｆ１  溶融燃料
Ｆ２  デブリ
【図１】
2014153301.tif 000003
【図２】
2014153301.tif 000004
【図３】
2014153301.tif 000005
【図４】
2014153301.tif 000006
【図５】
2014153301.tif 000007
【図６】
2014153301.tif 000008
【図７】
2014153301.tif 000009
【図８】
2014153301.tif 000010
【図９】
2014153301.tif 000011
【図１０】
2014153301.tif 000012
【図１１】
2014153301.tif 000013